(57)【要約】【課題】複数セル間で異なるＤｕｐｌｅｘ−ｍｏｄｅを適用してＣＡを行う場合であっても、ユーザ端末における送受信を適切に行うこと。【解決手段】ＦＤＤセル及びＴＤＤセルとキャリアアグリゲーションを利用して通信を行うユーザ端末であって、各セルから送信されるＤＬ信号の受信と、各セルに対するＵＬ信号の送信を行う送受信制御部と、前記送受信部におけるＤＬ信号とＵＬ信号の同時送受信に関する能力情報の通知を制御する通知制御部と、を有し、前記通知制御部は、ＦＤＤセルで利用する周波数バンドとＴＤＤセルで利用する周波数バンドの各組み合わせに対する前記送受信部の同時送受信に関する能力情報の通知を制御する。【選択図】図７
2015070295.tif 000002
【特許請求の範囲】
【請求項１】
ＦＤＤセル及びＴＤＤセルとキャリアアグリゲーションを利用して通信を行うユーザ端末であって、
各セルから送信されるＤＬ信号の受信と、各セルに対するＵＬ信号の送信を行う送受信制御部と、
前記送受信部におけるＤＬ信号とＵＬ信号の同時送受信に関する能力情報の通知を制御する通知制御部と、を有し、
前記通知制御部は、ＦＤＤセルで利用する周波数バンドとＴＤＤセルで利用する周波数バンドの各組み合わせに対する前記送受信部の同時送受信に関する能力情報の通知を制御することを特徴とするユーザ端末。
【請求項２】
前記同時送受信に関する能力情報は、ＦＤＤセルのＤＬ周波数バンドとＴＤＤセルのＵＬ周波数バンドの組み合わせに対する前記送受信部の同時送受信の適用可否と、ＦＤＤセルのＵＬ周波数バンドとＴＤＤセルのＤＬ周波数バンドの組み合わせに対する前記送受信部の同時送受信の適用可否に関する情報を含むことを特徴とする請求項１に記載のユーザ端末。
【請求項３】
前記同時送受信に関する能力情報は、ＦＤＤセルにおける前記送受信部のＦｕｌｌ−ｄｕｐｌｅｘの適用可否と、キャリアアグリゲーションを行う周波数全体に対する前記送受信部の同時送受信の適用可否に関する情報を含むことを特徴とする請求項２に記載のユーザ端末。
【請求項４】
前記通知制御部は、前記同時送受信に関する能力情報をユーザ端末能力情報として通知することを特徴とする請求項１から請求項３のいずれかに記載のユーザ端末。
【請求項５】
前記同時送受信に関する能力情報が、キャリアアグリゲーションを適用する周波数バンド組み合わせ毎に、当該周波数バンド組み合わせのパラメータとして規定されていることを特徴とする請求項１から請求項３のいずれかに記載のユーザ端末。
【請求項６】
異なる複信形式を利用する他の基地局とキャリアアグリゲーションを適用してユーザ端末と通信する基地局であって、
ユーザ端末におけるＤＬ信号とＵＬ信号の同時送受信に関する能力情報を受信する受信部と、
ユーザ端末の同時送受信能力に基づいて、ユーザ端末に対するＤＬ信号とＵＬ信号のスケジューリングを制御する制御部と、を有し
前記受信部は、ユーザ端末の同時送受信の能力情報として、ＦＤＤセルで利用する周波数バンドとＴＤＤセルで利用する周波数バンドの各組み合わせに対するユーザ端末の同時送受信に関する能力情報を受信することを特徴とする基地局。
【請求項７】
前記受信部は、ユーザ端末の同時送受信の能力情報を２ビットのユーザ能力情報として受信することを特徴とする請求項６に記載の基地局。
【請求項８】
ＦＤＤセルで利用する周波数バンドとＴＤＤセルで利用する周波数バンドの各組み合わせに対する同時送受信の制約があらかじめ規定されており、前記制御部は、あらかじめ規定された同時送受信の制約と、ユーザ端末から通知される同時送受信に関する情報とを用いて、制約が大きい条件にしたがってスケジューリングを制御することを特徴とする請求項６又は請求項７に記載の基地局。
【請求項９】
基地局間キャリアアグリゲーションを適用する場合に、前記制御部は、前記ユーザ端末の同時送受信に関する能力情報に基づいて、ＤＬ信号及び／又はＵＬ信号の割当てを前記他の基地局の割当てと衝突しないように制御することを特徴とする請求項６に記載の基地局。
【請求項１０】
キャリアアグリゲーションを適用するＦＤＤセル及びＴＤＤセルと通信を行うユーザ端末の無線通信方法であって、
各セルから送信されるＤＬ信号の受信と、各セルに対するＵＬ信号の送信を行う工程と、
前記ユーザ端末におけるＤＬ信号とＵＬ信号の同時送受信に関する能力情報を通知する工程と、を有し、
前記同時送受信に関する能力情報に、ＦＤＤセルで利用する周波数バンドとＴＤＤセルで利用する周波数バンドの各組み合わせに対する前記ユーザ端末の同時送受信に関する能力情報が含まれていることを特徴とする無線通信方法。
【発明の詳細な説明】
【技術分野】
【０００１】
本発明は、次世代の通信システムに適用可能なユーザ端末、基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討され、仕様化されている（Ｒｅｌ．１０／１１）。
【０００３】
ＬＴＥ、ＬＴＥ−Ａシステムの無線通信における複信形式（Ｄｕｐｌｅｘ−ｍｏｄｅ）として、上りリンク（ＵＬ）と下りリンク（ＤＬ）を周波数で分割する周波数分割複信（ＦＤＤ）と、上りリンクと下りリンクを時間で分割する時間分割複信（ＴＤＤ）とがある（図１Ａ参照）。ＴＤＤの場合、上りリンクと下りリンクの通信に同じ周波数領域が適用され、一つの送受信ポイントから上りリンクと下りリンクが時間で分けられて信号の送受信が行われる。
【０００４】
また、他の複信形式として、Ｈａｌｆ  Ｄｕｐｌｅｘ  ＦＤＤ（半二重ＦＤＤ）方式がある。Ｈａｌｆ  Ｄｕｐｌｅｘ  ＦＤＤ方式は、ＦＤＤ方式と同様に上りリンクと下りリンクで異なる周波数領域を割当てる一方で、あるユーザ端末に関しては、上りリンク伝送と下りリンク伝送は同時に行われないという通信方式である。すなわち、あるユーザ端末に関しては、上りリンク伝送と下りリンク伝送は時間で分けられる。この上りリンク伝送と下りリンク伝送が時間で分けられるという点に関しては、ＴＤＤ方式の動作と同様である。
【０００５】
また、ＬＴＥ−Ａシステム（Ｒｅｌ．１０／１１）のシステム帯域は、ＬＴＥシステムのシステム帯域を一単位とする少なくとも１つのコンポーネントキャリア（ＣＣ：Component  Carrier）を含んでいる。複数のコンポーネントキャリア（セル）を集めて広帯域化することをキャリアアグリゲーション（ＣＡ：Carrier  Aggregation）という。
【先行技術文献】
【非特許文献】
【０００６】
【非特許文献１】3GPP  TS  36.300“Evolved  UTRA  and  Evolved  UTRAN  Overall  description”
【発明の概要】
【発明が解決しようとする課題】
【０００７】
上述したように、ＦＤＤでは、ＵＬとＤＬが分割された異なる周波数バンドを用いて伝送が行われる（Ｆｕｌｌ−ｄｕｐｌｅｘ）。ＵＬとＤＬは周波数方向に分割されているが、ユーザ端末の能力やＵＬとＤＬの周波数の配置等によっては、ＵＬ送信がＤＬ送信の干渉となり、ＤＬでの受信とＵＬでの送信を同時に行えない場合がある。一方で、ＵＬとＤＬを時間で分割して通信を行うＴＤＤやＨａｌｆ  Ｄｕｐｌｅｘ  ＦＤＤではこのような問題は生じない。
【０００８】
例えば、ＦＤＤ  Ｆｕｌｌ−ｄｕｐｌｅｘを適用するユーザ端末は、ユーザ端末から送信するＵＬ信号が、ユーザ端末内のＤＬ信号を受信するための受信器に干渉を与えないようにデュプレクサ（Ｄｕｐｌｅｘｅｒ）を実装している。しかし、デュプレクサを実装していない（又は、デュプレクサの性能が低い）ユーザ端末や、ＵＬとＤＬの周波数の配置等によっては、ＵＬ信号とＤＬ信号の同時送受信を行うことが出来ない。そこで、従来ではこのような問題を解決するために、同時送受信ができないユーザ端末に対しては、Ｈａｌｆ  Ｄｕｐｌｅｘ  ＦＤＤを適用することにより同時送受信を制限していた。
【０００９】
ところで、Ｒｅｌ．１０／１１で導入されたキャリアアグリゲーション（ＣＡ）では、複数のＣＣ（セル、送受信ポイントともいう）間で適用されるＤｕｐｌｅｘ−ｍｏｄｅは、同一のＤｕｐｌｅｘ−ｍｏｄｅに限られている（図１Ｂ参照）。一方で、将来の無線通信システム（例えば、Ｒｅｌ．１２以降）では、複数ＣＣ間で異なるＤｕｐｌｅｘ−ｍｏｄｅ（ＴＤＤ＋ＦＤＤ）を適用したＣＡも想定される（図１Ｃ参照）。
【００１０】
この場合、ユーザ端末は、ＦＤＤのＤＬ周波数バンドと、ＦＤＤのＵＬ周波数バンドと、ＴＤＤのＤＬ／ＵＬ周波数バンドの少なくとも３つの異なる周波数バンドを利用することとなる。このため、ユーザ端末の送受信能力やＣＡを行う周波数バンド位置（例えば、ＦＤＤとＴＤＤの周波数バンド位置）等によっては、同時送受信によるユーザ端末の受信品質の低下や、同時送受信の不当な制限によるスループットの低下が生じ、ユーザ端末の送受信が適切に行えなくなるおそれがある。
【００１１】
本発明はかかる点に鑑みてなされたものであり、複数セル間で異なるＤｕｐｌｅｘ−ｍｏｄｅを適用してＣＡを行う場合であっても、ユーザ端末における送受信を適切に行うことができるユーザ端末、基地局及び無線通信方法を提供することを目的の一とする。
【課題を解決するための手段】
【００１２】
本発明のユーザ端末は、ＦＤＤセル及びＴＤＤセルとキャリアアグリゲーションを利用して通信を行うユーザ端末であって、各セルから送信されるＤＬ信号の受信と、各セルに対するＵＬ信号の送信を行う送受信制御部と、前記送受信部におけるＤＬ信号とＵＬ信号の同時送受信に関する能力情報の通知を制御する通知制御部と、を有し、前記通知制御部は、ＦＤＤセルで利用する周波数バンドとＴＤＤセルで利用する周波数バンドの各組み合わせに対する前記送受信部の同時送受信に関する能力情報の通知を制御することを特徴とする。
【発明の効果】
【００１３】
本発明によれば、複数セル間で異なるＤｕｐｌｅｘ−ｍｏｄｅを適用してＣＡを行う場合であっても、ユーザ端末における送受信を適切に行うことができる。
【図面の簡単な説明】
【００１４】
【図１】ＬＴＥ、ＬＴＥ−ＡにおけるＤｕｐｌｅｘ−ｍｏｄｅと、基地局内ＣＡ（Ｉｎｔｒａ−ｅＮＢ  ＣＡ）の概要を説明するための図である。
【図２】基地局間ＣＡ（Ｉｎｔｅｒ−ｅＮＢ  ＣＡ）を説明するための図である。
【図３】セル間で異なるＤＬ／ＵＬ構成を適用する場合の一例を示す図である。
【図４】ＴＤＤ−ＦＤＤ  ＣＡにおけるＦＤＤセルの周波数バンドとＴＤＤセルの周波数バンドの配置例とユーザ端末における同時送受信の関係を説明する図である。
【図５】ＴＤＤ−ＦＤＤ  ＣＡにおけるＦＤＤセルの周波数バンドとＴＤＤセルの周波数バンドの配置例とユーザ端末における同時送受信の関係を説明する図である。
【図６】ＴＤＤ−ＦＤＤ  ＣＡにおけるＦＤＤセルの周波数バンドとＴＤＤセルの周波数バンドの配置例とユーザ端末における同時送受信の関係を説明する図である。
【図７】ＴＤＤ−ＦＤＤ  ＣＡにおいてユーザ端末の同時送受信に基づいたスケジューリングを説明する図である。
【図８】Ｉｎｔｅｒ−ｅＮＢ  ＣＡにおけるＦＤＤセルとＴＤＤセル間のスケジューリングの一例を示す図である。
【図９】本実施の形態に係る無線通信システムの一例を示す概略図である。
【図１０】本実施の形態に係る無線基地局の全体構成の説明図である。
【図１１】本実施の形態に係る無線基地局の機能構成の説明図である。
【図１２】本実施の形態に係るユーザ端末の全体構成の説明図である。
【図１３】本実施の形態に係るユーザ端末の機能構成の説明図である。
【発明を実施するための形態】
【００１５】
上述したように、ＬＴＥ、ＬＴＥ−Ａシステムでは、Ｄｕｐｌｅｘ  ｍｏｄｅとしてＦＤＤとＴＤＤの２つが規定されている（上記図１Ａ参照）。また、Ｒｅｌ．１０からは、基地局内ＣＡ（Ｉｎｔｒａ−ｅＮＢ  ＣＡ）がサポートされている。しかし、Ｒｅｌ．１０／１１におけるＣＡは、同一Ｄｕｐｌｅｘ−ｍｏｄｅ（ＦＤＤ＋ＦＤＤ  Ｉｎｔｒａ−ｅＮＢ  ＣＡ、又はＴＤＤ＋ＴＤＤ  Ｉｎｔｒａ−ｅＮＢ  ＣＡ）に限られていた（上記図１Ｂ参照）。
【００１６】
一方で、Ｒｅｌ．１２以降のシステムでは、複数ＣＣ間で異なるＤｕｐｌｅｘ−ｍｏｄｅ（ＴＤＤ＋ＦＤＤ）を適用した基地局内ＣＡ（Ｉｎｔｒａ−ｅＮＢ  ＣＡ）が想定されている（上記図１Ｃ参照）。また、Ｒｅｌ．１２以降のシステムでは、基地局間ＣＡ（Ｉｎｔｅｒ−ｅＮＢ  ＣＡ）の適用も想定されている（図２参照）。なお、基地局間ＣＡは、Ｄｕｐｌｅｘ−ｍｏｄｅに限らずサポートされることが望ましく、異なるＤｕｐｌｅｘ−ｍｏｄｅ（ＴＤＤ＋ＦＤＤ）も含めた基地局間ＣＡが導入されることが考えられる。
【００１７】
基地局内ＣＡ（Ｉｎｔｒａ−ｅＮＢ  ＣＡ）は、複数セル間で１つのスケジューラを用いてスケジューリングを制御する。一方で、基地局間ＣＡ（Ｉｎｔｅｒ−ｅＮＢ  ＣＡ）は、複数セル毎にスケジューラが独立して設けられ、各セルでそれぞれスケジューリングを制御する。また、Ｉｎｔｅｒ−ｅＮＢ  ＣＡでは、各基地局間は遅延が無視できない接続（Ｎｏｎ−ｉｄｅａｌ  ｂａｃｋｈａｕｌ接続）とすることが想定されている。
【００１８】
ところで、ユーザ端末は、ＣＡを適用する周波数バンドの組み合わせやユーザ端末の実装（デュプレクサの性能）等により、ＵＬ信号とＤＬ信号の送受信を同時に行えない（Ｆｕｌｌ−ｄｕｐｌｅｘできない）場合がある。例えば、ＵＬで利用する周波数バンドとＤＬで利用する周波数バンドが近接する場合には、ＵＬ信号を送信する際に隣接帯域に発生する不要発射（Unwanted  emissions）によりＤＬ信号に対して干渉が生じるおそれがある。かかる場合、ユーザ端末はＵＬ信号の送信とＤＬ信号の受信とを同時に行うことはできない。
【００１９】
また、Ｆｕｌｌ  Ｄｕｐｌｅｘ  ＦＤＤ方式を実現する場合、ＵＬ信号が、ユーザ端末内のＤＬ信号を受信する受信器に干渉を与えることがないようにデュプレクサを実装する必要がある。しかし、デュプレクサの実装状況によっては、ＵＬ信号とＤＬ信号の同時送受信を行えない場合も想定される。
【００２０】
そのため、ＦＤＤでは、同時送受信できないユーザ端末がＮＷ（例えば、基地局）に同時送受信に関する能力情報（Capability）を通知するためのシグナリング（UE  capability  signaling）が周波数バンド毎に規定されている。例えば、ＦＤＤセルにおいてＵＬ信号の送信とＤＬ信号の受信を同時に行えない（同時送受信ができない）ユーザ端末は、その旨を基地局に通知する。
【００２１】
具体的には、ＦＤＤを適用するユーザ端末は、周波数バンド毎にＦｕｌｌ−ｄｕｐｌｅｘとするか、あるいはＨａｌｆ−ｄｕｐｌｅｓとするかを１ビットで通知する。なお、ＴＤＤでは、ＵＬとＤＬが同じ周波数を利用するため、当該通知については規定されていない。
【００２２】
一方で、Ｒｅｌ．１１において、ＴＤＤ−ＴＤＤ  ＣＡを適用する複数のセル（基地局）毎に、ＤＬとＵＬの送信比率をＣＣ間で異なる構成とすること（TDD  inter-band  CA  with  different  UL-DL  configuration）が導入された。以下に、セル毎に異なるＤＬ／ＵＬ構成を適用する場合について説明する。
【００２３】
Ｒｅｌ．１０までのシステムにおけるＴＤＤは、ＵＬとＤＬの構成比率が複数パターン定められており（DL/UL  Configuration0-6）、各ＤＬ／ＵＬ構成において各ＵＬサブフレームに割当てられるＤＬサブフレームがそれぞれ決められている。例えば、図３Ａは、各セル（Ｃｅｌｌ＃１、２）がＤＬ／ＵＬ構成３（ＤＬ／ＵＬ  Ｃｏｎｆｉｇ．３）を適用する場合を示している。また、図３Ｂは、一方のセル（Ｃｅｌｌ＃１）がＤＬ／ＵＬ構成３（ＤＬ／ＵＬ  Ｃｏｎｆｉｇ．３）を適用し、他方のセル（Ｃｅｌｌ＃２）がＤＬ／ＵＬ構成４（ＤＬ／ＵＬ  Ｃｏｎｆｉｇ．４）を適用する場合を示している。
【００２４】
図３Ａに示すように、異なるセル間で同一のＤＬ／ＵＬ構成を適用する場合には、ユーザ端末でＤＬ信号とＵＬ信号の同時送受信は発生しない。一方で、図３Ｂに示すように、異なるセル間で異なるＤＬ／ＵＬ構成を適用する場合には、ユーザ端末でＤＬ信号とＵＬ信号の同時送受信が発生する場合が生じる。
【００２５】
このように、異なるセル間で異なるＤＬ／ＵＬ構成を適用する場合には、ＴＤＤにおいても、ＣＡを適用する周波数バンドの組み合わせやユーザ端末の実装（デュプレクサの性能）等により、ユーザ端末がＵＬ信号とＤＬ信号の送受信を同時に行えない問題が生じる。
【００２６】
このような問題を解決するために、TDD  inter-band  CA  with  different  UL-DL  configurationにおいても、同時送受信できないユーザ端末が、ＮＷ（例えば、基地局）に対して同時送受信の能力に関する情報を通知するためのシグナリング（UE  capability  signaling）が導入された。例えば、同時送受信を行うことができるユーザ端末は、その旨（例えば、同時送受信（simultaneous  Rx-Tx）が可能であるか否か）を基地局に通知する。具体的には、ＴＤＤ−ＴＤＤ  ＣＡにおいてセル間で異なるＤＬ／ＵＬ構成が許容される場合に、ユーザ端末は、ＣＡを行う周波数バンドの組み合わせ毎に同時送受信（simultaneous  Rx-Tx）のサポート有無について基地局に通知する。
【００２７】
したがって、複数ＣＣ（セル）間で異なるＤｕｐｌｅｘ−ｍｏｄｅを適用してＣＡを行う場合（ＴＤＤ−ＦＤＤ  ＣＡ）においても、ユーザ端末から上述した同時送受信に関する能力情報を通知することが考えられる。
【００２８】
しかし、本発明者等は、ＴＤＤ−ＦＤＤ  ＣＡではユーザ端末が同時送受信できない場合が複数生じ、既存のシグナリングでは同時送受信によるユーザ端末の受信品質の低下や、同時送受信の不当な制限によるスループットの低下が生じるおそれがあることを見出した。以下に、ＴＤＤ−ＦＤＤ  ＣＡにおいて同時送受信が不可能となる場合について説明する。なお、以下の図４〜図６に示したＦＤＤセルとＴＤＤセルの周波数バンドの配置構成は一例であり、これに限られない。
【００２９】
図４Ａに示すように、ＴＤＤ−ＦＤＤ  ＣＡにおけるＦＤＤでＦｕｌｌ−ｄｕｐｌｅｘできない場合が考えられる。この場合、ユーザ端末は、ＦＤＤセルにおいてＵＬ信号とＤＬ信号の送受信を同時に行うことができないため、Ｈａｌｆ−ｄｕｐｌｅｘを適用することとなる。
【００３０】
あるいは、図４Ｂに示すように、ＴＤＤ−ＦＤＤ  ＣＡにおけるＦＤＤのＤＬと、ＴＤＤのＵＬで同時送受信できない場合が考えられる。この場合、ユーザ端末は、ＦＤＤセルにおけるＦｕｌｌ−ｄｕｐｌｅｘ、ＦＤＤセルのＵＬの周波数バンドとＴＤＤセルのＤＬの周波数バンドに対する同時受信は可能となる。なお、ＴＤＤではＵＬとＤＬの周波数バンドは変化せず、ＵＬとＤＬが時間領域で切り替えて制御される。
【００３１】
あるいは、図５Ａに示すように、ＴＤＤ−ＦＤＤ  ＣＡにおけるＦＤＤのＵＬと、ＴＤＤのＤＬで同時送受信できない場合が考えられる。この場合、ユーザ端末は、ＦＤＤセルにおけるＦｕｌｌ−ｄｕｐｌｅｘ、ＦＤＤセルのＤＬの周波数バンドとＴＤＤセルのＵＬの周波数バンドに対する同時受信は可能となる。
【００３２】
あるいは、図５Ｂに示すように、ＴＤＤ−ＦＤＤ  ＣＡにおいて、ＣＡする周波数全体で同時送受信できない場合が考えられる。この場合、ユーザ端末は、ＦＤＤセル、ＴＤＤセルに関わらず、ＵＬ信号とＤＬ信号の送受信を同時に行うことができない。
【００３３】
このように、ＴＤＤ−ＦＤＤ  ＣＡを適用する場合、周波数バンドの組み合わせに応じてユーザ端末ＤＬ信号とＵＬ信号の同時送受信不可となるケースが複数存在する。この場合に、ユーザ端末が、上述した同時送受信に関する能力情報のシグナリング（Capability  signaling）を適用する場合を想定する。なお、上述した同時送受信の能力情報のシグナリングでは、（１）ＦＤＤのＣＣ内でＦｕｌｌ−Ｄｕｐｌｅｘが出来ない場合（Ｈａｌｆ−ｄｕｐｌｅｘ通知で制御）、（２）ＣＡする周波数全体で同時送受信できない場合（Simultaneous  Rx-Tx通知で制御）、の２通りしか通知することができない。
【００３４】
例えば、ユーザ端末が、ＦＤＤのＤＬ周波数バンドとＴＤＤのＵＬ周波数バンドで同時送受信ができない場合（図４Ｂ参照）を想定する。この場合、ユーザ端末がＦＤＤのＨａｌｆ−ｄｕｐｌｅｘ通知を用いると、ＦＤＤのＵＬとＦＤＤのＤＬが同時送受信不可能とみなされると共に、ＦＤＤのＤＬとＴＤＤのＵＬでの同時送受信を制限することが出来ない（図６Ａ参照）。つまり、ＦＤＤセルに対して不当な割当て制限が生じると共に、ＦＤＤセル−ＴＤＤセル間で割当て制限を行うことができない。
【００３５】
また、ユーザ端末が、ＣＡする周波数全体での同時送受信を制限するSimultaneous  Rx-Tx通知を用いると、ＦＤＤとＴＤＤの周波数全体で同時送受信不可能とみなされる（図６Ｂ参照）。その結果、本来同時送受信可能なＦＤＤのＵＬとＦＤＤのＤＬも同時送受信不可能とみなされ、不当に制限される問題が生じる。さらに、ＦＤＤのＵＬ周波数バンドとＴＤＤのＤＬ周波数バンドにおける同時送受信も制限される。
【００３６】
そこで、本発明者等は、ＴＤＤ−ＦＤＤ  ＣＡを適用する場合に、ＦＤＤにおけるＤＬ周波数バンド及びＵＬ周波数バンドと、ＴＤＤにおけるＤＬ／ＵＬ周波数バンドとの各組み合わせに対して、ユーザ端末が同時送受信に関する能力情報をシグナリングすることを着想した。これにより、ＮＷがＴＤＤとＦＤＤの各周波数バンドにおけるユーザ端末の同時送受信能力を正しく把握してスケジューリングを行うことにより、同時送受信によるユーザ端末の受信品質の低下や、同時送受信の不当な制限によるスループットの低下を抑制することができる。以下に、本実施の形態について詳細に説明する。
【００３７】
（第１の態様）
第１の態様では、ＴＤＤ−ＦＤＤ  ＣＡ向けに、ＣＡを適用する周波数バンドの組み合わせ（CA  Band  combination）毎に、同時送受信に関する能力情報の通知（Simultaneous  Rx-TxのCapability  Signaling）を導入する場合について説明する。
【００３８】
具体的には、同時送受信の適用可否に関する情報を、個別の周波数バンドの組み合わせ（CA  Band  combination）毎に、周波数バンド組み合わせのパラメータのシグナリングとして規定する。周波数バンド組み合わせのパラメータ（BandCombinationParameters）とは、ＣＡする周波数バンドの組み合わせごとに、ＤＬまたはＵＬにおけるＣＡのバンド幅やＤＬまたはＵＬにおけるＭＩＭＯのレイヤ数が規定されたものである。
【００３９】
この場合、ユーザ端末の能力を定義する情報要素（UE-EUTRA-Capability  information  element）中に、バンド組み合わせパラメータ（BandCombinationParameters）として同時送受信に関する能力情報を規定する。ユーザ端末は、各バンド組み合わせパラメータ中に規定された同時送受信に関する能力情報を、ユーザ端末能力情報（UE  capability  signaling）としてＮＷ（例えば、基地局）に通知する。つまり、各バンド組み合わせパラメータと、当該バンド組み合わせに対する同時送受信の可否を対応付けて規定する。
【００４０】
同時送受信に関する能力情報として、ＦＤＤセルのＤＬの周波数バンドとＴＤＤセルのＵＬの周波数バンドの組み合わせに対するユーザ端末の同時送受信の適用可否と、ＦＤＤセルのＵＬの周波数バンドとＴＤＤセルのＤＬの周波数バンドの組み合わせに対するユーザ端末の同時送受信の適用可否に関する情報を規定することができる。さらに、各周波数バンドに対して同時送受信の制限が不要である情報（Ｆｕｌｌ−ｄｕｐｌｅｘ）と、ＣＡする周波数全体で同時送受信できない情報を規定する。ユーザ端末は、各周波数バンドの組み合わせに対する自端末の同時送受信能力を判断して、基地局に通知する。
【００４１】
例えば、ユーザ端末は、同時送受信に関する能力情報として、（１）Ｆｕｌｌ−ｄｕｐｌｅｘ（同時送受信に制限不要）、（２）ＦＤＤのＤＬとＴＤＤのＵＬで同時送受信できない、（３）ＦＤＤのＵＬとＴＤＤのＤＬで同時送受信できない、（４）ＣＡする周波数全体で同時送受信できない、と規定された中からいずれかを選択して通知することができる。この場合、同時送受信に関する能力情報を２ビットで規定することができる。
【００４２】
ここで、ユーザ端末が、ＦＤＤのＤＬ周波数バンドとＴＤＤのＵＬ周波数バンドで同時送受信ができない場合（図４Ｂ参照）を想定する。この場合、ユーザ端末が同時送受信に関する能力情報として、上記（２）ＦＤＤのＤＬとＴＤＤのＵＬで同時送受信できないことをＮＷに通知する。これにより、各基地局はユーザ端末の同時送受信に関する能力を正しく把握して、各周波数バンドのＵＬ信号とＤＬ信号のスケジューリングを適切に行うことが可能となる（図７参照）。
【００４３】
このように、ＦＤＤセルのＤＬ周波数、ＵＬの周波数バンド、ＴＤＤセルのＤＬ／ＵＬ周波数バンドとの組み合わせに対するユーザ端末の同時送受信の適用可否を通知する構成とすることにより、ＴＤＤ−ＦＤＤ  ＣＡにおいてもＮＷが各ユーザ端末の同時送受信に関する能力を正しく把握することができる。そして、ＣＡを適用する各基地局が、各ユーザ端末の同時送受信に関する能力に基づいてスケジューリング制御を行うことにより、同時送受信によるユーザ端末の受信品質の低下や、同時送受信の不当な制限によるスループットの低下を抑制することができる。
【００４４】
（第２の態様）
第２の態様では、ＴＤＤ−ＦＤＤ  ＣＡ向けに、ユーザ端末毎に同時送受信に関する能力情報の通知を導入する場合について説明する。つまり、第２の態様では、個別のユーザ端末毎に、能力情報シグナリング（Capability  signaling）を導入する。
【００４５】
この場合、ユーザ端末の能力を定義する情報要素（UE-EUTRA-Capability  information  element）中に、同時送受信に関する能力情報（例えば、Simultaneous  Rx-Tx）を規定して通知を制御する。同時送受信に関する能力情報としては、（１）Ｆｕｌｌ−ｄｕｐｌｅｘ（同時送受信に制限不要）、（２）ＦＤＤのＤＬとＴＤＤのＵＬで同時送受信できない、（３）ＦＤＤのＵＬとＴＤＤのＤＬで同時送受信できない、（４）ＣＡする周波数全体で同時送受信できない、との情報を２ビットで規定することができる。ユーザ端末は、自端末の同時送受信能力に応じていずれかを選択して基地局に通知する。
【００４６】
なお、周波数バンド組み合わせ（CA  Band  combination）毎の同時送受信の制約はあらかじめ規定しておくことができる。ＦＤＤのＵＬ周波数バンド、ＤＬ周波数バンド、ＴＤＤのＤＬ／ＵＬ周波数バンドの各組み合わせに対する同時送受信の制約として、例えば、上記ユーザ端末毎に規定した同時送受信能力の内容（（１）〜（４））と同様に規定することができる。
【００４７】
この場合、各セルの基地局は、ユーザ端末から通知される同時送受信に関する能力情報と、あらかじめ規定された周波数バンド組み合わせ毎の同時送受信の適用可否に基づいて、ユーザ端末毎にスケジューリングを制御する。この際、ユーザ端末から通知される同時送受信に関する能力情報と、あらかじめ規定された周波数バンド組み合わせ毎の同時送受信の制約条件が異なる場合には、基地局は、制約が大きい方の条件にしたがってスケジューリングを制御することができる。
【００４８】
このように、ＦＤＤセルのＤＬ周波数、ＵＬの周波数バンド、ＴＤＤセルのＤＬ／ＵＬ周波数バンドとの組み合わせに対するユーザ端末の同時送受信の適用可否を通知する構成とすることにより、ＴＤＤ−ＦＤＤ  ＣＡにおいてもＮＷが各ユーザ端末の同時送受信に関する能力を正しく把握することができる。そして、ＣＡを適用する各基地局が、各ユーザ端末の同時送受信に関する能力に基づいてスケジューリング制御を行うことにより、同時送受信によるユーザ端末の受信品質の低下や、同時送受信の不当な制限によるスループットの低下を抑制することができる。また、第２の態様では、周波数バンドごとの各組合せに対する同時送受信の制約を個別に能力情報シグナリングとして報告する必要が無いため、能力情報シグナリング（Capability  signaling）のオーバーヘッドを削減することができる。
【００４９】
（第３の態様）
第３の態様では、上記第２の態様と同様に、ＴＤＤ−ＦＤＤ  ＣＡ向けに、ユーザ端末毎に同時送受信に関する能力情報の通知を導入する。その一方で、周波数バンド組み合わせ（CA  Band  combination）毎の同時送受信の制約は規定せずに、基地局がスケジューラで制御する。
【００５０】
ユーザ端末毎に送信するcapability  signaling（同時送受信に関する能力情報）としては、上記第２の態様と同様に、（１）Ｆｕｌｌ−ｄｕｐｌｅｘ（同時送受信に制限不要）、（２）ＦＤＤのＤＬとＴＤＤのＵＬで同時送受信できない、（３）ＦＤＤのＵＬとＴＤＤのＤＬで同時送受信できない、（４）ＣＡする周波数全体で同時送受信できない、との情報を２ビットで規定することができる。また、ユーザ端末は、自端末の同時送受信能力に応じていずれかを選択して基地局に通知する。
【００５１】
一方で、第３の態様では、ＣＡの周波数バンド組み合わせ（CA  Band  combination）毎の同時送受信の制約条件がユーザ端末に通知されないため、周波数バンド組み合わせ毎に制約がある場合には、基地局がスケジューリングの際に制御する。この際、ユーザ端末から通知される同時送受信に関する能力情報と、周波数バンド組み合わせ毎の同時送受信の制約条件が異なる場合には、基地局は、制約が大きい方の条件にしたがってスケジューリングを制御することができる。
【００５２】
（変形例）
なお、本実施の形態（例えば、上記第１〜３の態様）は、Ｉｎｔｒａ−ｅＮＢ  ＣＡに限られず、Ｉｎｔｅｒ−ｅＮＢ  ＣＡに適用することも可能である。Ｉｎｔｅｒ−ｅＮＢ  ＣＡの場合には、上述したようにＣＡを行う基地局間において動的協調が困難であるが、ユーザ端末からの同時送受信に関する能力情報の通知に基づいて、他の基地局と準静的（Semi-static）な協調を行うことができる。これにより異なる周波数バンド間の同時送受信を回避する制御が可能となる。
【００５３】
例えば、ＦＤＤのＤＬとＴＤＤのＵＬで同時送受信できない場合を想定する。この場合、ＦＤＤのＤＬとＴＤＤのＵＬが同時におこるタイミングでは、いずれか一方のみに対する割当て（スケジューリング）を時間的に切り替えて行う。例えば、ＦＤＤのＤＬとＴＤＤのＵＬが重なるサブフレームにおいて、ＴＤＤのＵＬの割当てを行わないサブフレームと、ＦＤＤのＤＬの割当てを行わないサブフレームを時間的に適宜切り替えて制御する（図８Ａ参照）。
【００５４】
また、例えば、ＦＤＤのＵＬとＴＤＤのＤＬで同時送受信できない場合を想定する。この場合、ＦＤＤのＵＬとＴＤＤのＤＬが同時におこるタイミングでは、いずれか一方のみに対する割当て（スケジューリング）を時間的に切り替えて行う。例えば、ＦＤＤのＵＬとＴＤＤのＤＬが重なるサブフレームにおいて、ＴＤＤのＤＬの割当てを行わないサブフレームと、ＦＤＤのＵＬの割当てを行わないサブフレームを時間的に適宜切り替えて制御する（図８Ｂ参照）。
【００５５】
（無線通信システムの構成）
以下、本実施の形態に係る無線通信システムの一例について、詳細に説明する。
【００５６】
図９は、本実施の形態に係る無線通信システムの概略構成図である。なお、図９に示す無線通信システムは、例えば、ＬＴＥシステム或いは、ＳＵＰＥＲ  ３Ｇが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）が適用することができる。また、この無線通信システムは、ＩＭＴ−Ａｄｖａｎｃｅｄと呼ばれても良いし、４Ｇ、ＦＲＡ（Future  Radio  Access）と呼ばれても良い。
【００５７】
図９に示す無線通信システム１は、マクロセルＣ１を形成する無線基地局１１と、マクロセルＣ１内に配置され、マクロセルＣ１よりも狭いスモールセルＣ２を形成する無線基地局１２ａ及び１２ｂとを備えている。また、マクロセルＣ１及び各スモールセルＣ２には、ユーザ端末２０が配置されている。ユーザ端末２０は、無線基地局１１及び無線基地局１２の双方に接続すること（dual  connectivity）ができる。また、無線基地局１１と無線基地局１２間で基地局内ＣＡ（Ｉｎｔｒａ−ｅＮＢ  ＣＡ）、又は基地局間ＣＡ（Ｉｎｔｅｒ−ｅＮＢ  ＣＡ）が適用される。また、無線基地局１１と無線基地局１２の一方はＦＤＤを適用し、他方はＴＤＤを適用することができる。
【００５８】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信が行なわれる。一方、ユーザ端末２０と無線基地局１２との間は、相対的に高い周波数帯域（例えば、３．５ＧＨｚ等）で帯域幅が広いキャリアが用いられてもよいし、無線基地局１１との間と同じキャリアが用いられてもよい。ユーザ端末２０と無線基地局１２間のキャリアタイプとしてニューキャリアタイプ（ＮＣＴ）を利用してもよい。無線基地局１１と無線基地局１２（又は、無線基地局１２間）は、有線接続（Optical  fiber、Ｘ２インターフェース等）又は無線接続されている。
【００５９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【００６０】
なお、無線基地局１１は、相対的に広いカバレッジを有する無線基地局であり、ｅＮｏｄｅＢ、マクロ基地局、送受信ポイントなどと呼ばれてもよい。また、無線基地局１２は、局所的なカバレッジを有する無線基地局であり、スモール基地局、ピコ基地局、フェムト基地局、Ｈｏｍｅ  ｅＮｏｄｅＢ、マイクロ基地局、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００６１】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。
【００６２】
ここで、図９に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ、拡張ＰＤＣＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ／ＮＡＣＫが伝送される。また、拡張ＰＤＣＣＨ（ＥＰＤＣＣＨ）により、ＰＤＳＣＨ及びＰＵＳＣＨのスケジューリング情報等が伝送されてもよい。このＥＰＤＣＣＨは、ＰＤＳＣＨ（下り共有データチャネル）と周波数分割多重される。
【００６３】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（ＣＱＩ：Channel  Quality  Indicator）、ＡＣＫ／ＮＡＣＫ等が伝送される。
【００６４】
図１０は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００６５】
下りリンクにより無線基地局１０からユーザ端末２０に送信されるユーザデータは、上位局装置３０から伝送路インターフェース１０６を介してベースバンド信号処理部１０４に入力される。
【００６６】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下りリンクの制御チャネルの信号に関しても、チャネル符号化や逆高速フーリエ変換等の送信処理が行われて、各送受信部１０３に転送される。
【００６７】
また、ベースバンド信号処理部１０４は、上位レイヤシグナリング（ＲＲＣシグナリング、報知信号等）により、ユーザ端末２０に対して、当該セルにおける通信のための制御情報を通知する。当該セルにおける通信のための情報には、例えば、上りリンク又は下りリンクにおけるシステム帯域幅、フィードバック用のリソース情報等が含まれる。各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。
【００６８】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００６９】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００７０】
図１１は、本実施の形態に係る無線基地局１０が有するベースバンド信号処理部１０４の主な機能構成図である。図１１に示すように、無線基地局１０が有するベースバンド信号処理部１０４は、制御部３０１と、下り制御信号生成部３０２と、下りデータ信号生成部３０３と、マッピング部３０４と、デマッピング部３０５と、チャネル推定部３０６と、上り制御信号復号部３０７と、上りデータ信号復号部３０８と、判定部３０９と、を少なくとも含んで構成されている。
【００７１】
制御部３０１は、ＰＤＳＣＨで送信される下りユーザデータ、ＰＤＣＣＨ及び／又は拡張ＰＤＣＣＨ（ＥＰＤＣＣＨ）で伝送される下り制御情報、下り参照信号等のスケジューリングを制御する。また、制御部３０１は、ＰＵＳＣＨで伝送される上りデータ、ＰＵＣＣＨ又はＰＵＳＣＨで伝送される上り制御情報、上り参照信号のスケジューリングの制御（割当て制御）も行う。上りリンク信号（上り制御信号、上りユーザデータ）の割当て制御に関する情報は、下り制御信号（ＤＣＩ）を用いてユーザ端末に通知される。
【００７２】
具体的に、制御部３０１は、上位局装置３０からの指示情報や各ユーザ端末２０からのフィードバック情報に基づいて、下りリンク信号及び上りリンク信号に対する無線リソースの割り当てを制御する。つまり、制御部３０１は、スケジューラとしての機能を有している。また、上記実施の形態（第１〜３の態様、変形例）で示したように、制御部３０１は、ユーザ端末から通知される同時送受信に関する能力情報に基づいて、各周波数バンドのＤＬ信号とＵＬ信号の割当て（スケジューリング）を制御する。
【００７３】
例えば、ユーザ端末からＦＤＤのＤＬとＴＤＤのＵＬで同時送受信不可である旨が通知された場合、制御部３０１は、各周波数バンドのＵＬ信号とＤＬ信号のスケジューリングを制御することにより、ＦＤＤのＤＬとＴＤＤのＵＬに同時に割当てを行わない（上記図７参照）。なお、Ｉｎｔｅｒ−ｅＮＢ  ＣＡでは、制御部３０１は複数ＣＣ毎に独立に設けられており、Ｉｎｔｒａ−ｅＮＢ  ＣＡでは、制御部３０１は複数ＣＣに対して共通に設けた構成とすることができる。また、Ｉｎｔｒａ−ｅＮＢ  ＣＡでは、制御部３０１は、ユーザ端末から通知される同時送受信に関する能力情報に基づいて、伝送路インタフェース１０６を介して他の基地局と準静的（Semi-static）な協調を行うことができる（上記図８参照）。
【００７４】
下り制御信号生成部３０２は、制御部３０１により割当てが決定された下り制御信号（ＰＤＣＣＨ信号及び／又はＥＰＤＣＣＨ信号）を生成する。具体的に、下り制御信号生成部３０２は、制御部３０１からの指示に基づいて、下りリンク信号の割当て情報を通知するＤＬ割当て（ＤＬ  ａｓｓｉｇｎｍｅｎｔ）と、上りリンク信号の割当て情報を通知するＵＬグラント（ＵＬ  ｇｒａｎｔ）を生成する。
【００７５】
下りデータ信号生成部３０３は、下りデータ信号（ＰＤＳＣＨ信号）を生成する。下りデータ信号生成部３０３により生成されるデータ信号には、各ユーザ端末２０からのＣＳＩ等に基づいて決定された符号化率、変調方式に従って符号化処理、変調処理が行われる。
【００７６】
マッピング部３０４は、制御部３０１からの指示に基づいて、下り制御信号生成部３０２で生成された下り制御信号と、下りデータ信号生成部３０３で生成された下りデータ信号の無線リソースへの割当てを制御する。
【００７７】
デマッピング部３０５は、ユーザ端末から送信された上りリンク信号をデマッピングして、上りリンク信号を分離する。チャネル推定部３０６は、デマッピング部３０５で分離された受信信号に含まれる参照信号からチャネル状態を推定し、推定したチャネル状態を上り制御信号復号部３０７、上りデータ信号復号部３０８に出力する。
【００７８】
上り制御信号復号部３０７は、上り制御チャネル（ＰＵＣＣＨ）でユーザ端末から送信されたフィードバック信号（送達確認信号等）を復号し、制御部３０１へ出力する。上りデータ信号復号部３０８は、上り共有チャネル（ＰＵＳＣＨ）でユーザ端末から送信された上りデータ信号を復号し、判定部３０９へ出力する。判定部３０９は、上りデータ信号復号部３０８の復号結果に基づいて、再送制御判定（ＡＣＫ／ＮＡＣＫ）を行うと共に結果を制御部３０１に出力する。
【００７９】
図１２は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【００８０】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【００８１】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００８２】
図１３は、ユーザ端末２０が有するベースバンド信号処理部２０４等の主な機能構成図である。図１３に示すように、ユーザ端末２０が有するベースバンド信号処理部２０４は、制御部４０１（通知制御部）と、上り制御信号生成部４０２と、上りデータ信号生成部４０３と、マッピング部４０４と、デマッピング部４０５と、チャネル推定部４０６と、下り制御信号復号部４０７と、下りデータ信号復号部４０８と、判定部４０９と、を少なくとも含んで構成されている。
【００８３】
制御部４０１は、上り制御信号や上りデータ信号の生成を制御する。また、制御部４０１は、ユーザ端末の能力に関する情報（UE  Capability）等の生成・通知を制御する。つまり、制御部４０１は、上位レイヤ信号等の通知制御部としても機能する。
【００８４】
例えば、上記実施の形態（第１〜３の態様）で示したように、制御部４０１は、送受信部２０３における同時送受信に関する能力情報を含めてＮＷに通知するよう制御する。具体的には、制御部４０１は、ユーザ端末の能力情報（UE  Capability  signaling）に、同時送受信に関する能力情報を含めてＮＷに通知するよう制御する。同時送受信に関する能力情報としては、（１）Ｆｕｌｌ−ｄｕｐｌｅｘ（同時送受信に制限不要）、（２）ＦＤＤのＤＬとＴＤＤのＵＬで同時送受信できない、（３）ＦＤＤのＵＬとＴＤＤのＤＬで同時送受信できない、（４）ＣＡする周波数全体で同時送受信できない、との情報を２ビットで規定することができる。
【００８５】
上り制御信号生成部４０２は、制御部４０１からの指示に基づいて上り制御信号を生成する。また、上りデータ信号生成部４０３は、制御部４０１からの指示に基づいて上りデータ信号を生成する。なお、制御部４０１は、無線基地局から通知される下り制御信号にＵＬグラントが含まれている場合に、上りデータ信号生成部４０３に上りデータ信号の生成を指示する。
【００８６】
マッピング部４０４（割当て部）は、制御部４０１からの指示に基づいて、上り制御信号（送達確認信号等）と上りデータ信号の無線リソース（ＰＵＣＣＨ、ＰＵＳＣＨ）への割当てを制御する。例えば、マッピング部４０４は、フィードバック（ＰＵＣＣＨ送信）を行うＣＣ（セル）に応じて、当該ＣＣのＰＵＣＣＨに送達確認信号の割当てを行う。
【００８７】
デマッピング部４０５は、無線基地局１０から送信された下りリンク信号をデマッピングして、下りリンク信号を分離する。チャネル推定部４０６は、デマッピング部４０５で分離された受信信号に含まれる参照信号からチャネル状態を推定し、推定したチャネル状態を下り制御信号復号部４０７、下りデータ信号復号部４０８に出力する。
【００８８】
下り制御信号復号部４０７は、下り制御チャネル（ＰＤＣＣＨ）で送信された下り制御信号（ＰＤＣＣＨ信号）を復号し、スケジューリング情報（上りリソースへの割当て情報）を制御部４０１へ出力する。
【００８９】
下りデータ信号復号部４０８は、下り共有チャネル（ＰＤＳＣＨ）で送信された下りデータ信号を復号し、判定部４０９へ出力する。判定部４０９は、下りデータ信号復号部４０８の復号結果に基づいて、再送制御判定（ＡＣＫ／ＮＡＣＫ）を行うと共に結果を制御部４０１に出力する。
【００９０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。例えば、上述した複数の態様を適宜組み合わせて適用することができる。従って、本明細書の記載は、例示説明を目的とするものであり、本発明に対して何ら制限的な意味を有するものではない。
【符号の説明】
【００９１】
１…無線通信システム
１０…無線基地局
１１…無線基地局（マクロ基地局）
１２、１２ａ、１２ｂ…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１…制御部（スケジューラ）
３０２…下り制御信号生成部
３０３…下りデータ信号生成部
３０４…マッピング部
３０５…デマッピング部
３０６…チャネル推定部
３０７…上り制御信号復号部
３０８…上りデータ信号復号部
３０９…判定部
４０１…制御部（通知制御部）
４０２…上り制御信号生成部
４０３…上りデータ信号生成部
４０４…マッピング部
４０５…デマッピング部
４０６…チャネル推定部
４０７…下り制御信号復号部
４０８…下りデータ信号復号部
４０９…判定部
【図１】
2015070295.tif 000003
【図２】
2015070295.tif 000004
【図３】
2015070295.tif 000005
【図４】
2015070295.tif 000006
【図５】
2015070295.tif 000007
【図６】
2015070295.tif 000008
【図７】
2015070295.tif 000009
【図８】
2015070295.tif 000010
【図９】
2015070295.tif 000011
【図１０】
2015070295.tif 000012
【図１１】
2015070295.tif 000013
【図１２】
2015070295.tif 000014
【図１３】
2015070295.tif 000015